(57)【要約】【課題】  テンキーなどのボタンスイッチ群を設けた第２本体を落下時の破損や水濡れから守り、また、第２本体の最短時間且つ最短距離での露出と収納を図ることのできる携帯電話機を提供する。【解決手段】  テンキーなどのボタンスイッチ群４を設けた第２本体３を液晶などの表示板２を設けた第１本体１内に収納し、第２本体３を使用する場合は第１本体１内からスライドさせる形で引き出して使用し、第２本体３を不使用の場合は第１本体１内にスライドさせる形で押し込んで収納できることを特徴とする携帯電話機。【選択図】  図２
2005065205.tif 000002
【特許請求の範囲】
【請求項１】
液晶などの表示板を設けた第１本体内にテンキーなどのボタンスイッチ群を設けた第２本体を収納し、第２本体を使用する場合は第２本体を第１本体内からスライドさせる形で引き出して使用し、第２本体を不使用の場合は第２本体を第１本体内にスライドさせる形で押し込んで収納できることを特徴とする携帯電話機。
【発明の詳細な説明】
【発明の詳細な説明】
【技術分野】
【０００１】  本発明は、テンキーなどのボタンスイッチ群を設けた第２本体の防水性や防護性の向上を図り、また、第２本体の最短時間且つ最短距離での露出と収納を図るために第２本体を液晶などの表示板を設けた第１本体内に収納し、第２本体を使用の場合は第２本体を第１本体内からスライドさせる形で引き出して使用し、第２本体を不使用の際においては第２本体を第１本体内にスライドさせる形で押し込んで収納することのできる携帯電話機に関するものである。
【背景技術】
【０００２】  従来には、防塵性や防水性それに機械的破損の恐れをなくすために本体１のスイッチ部を覆うための折りたたみ式カバー２が使用されている。（例えば特許文献１参照）
また、折りたたみ式携帯電話機において、折りたたみを簡便にするためにディスプレイ側ボディー２の蝶番部３に歯車４を設け、歯車６を取り付けた電動モーター５の歯車６を歯車４に噛み合わせた装置が使用されている。（例えば特許文献２参照）【０００３】
【特許文献１】        特開平０８−１９５７９７号公報
【特許文献２】        実用新案登録第３０７９８２０号公報
【発明が解決しようとする課題】
【０００４】  上述した従来の技術においては、例えば特開平０８−１９５７９７号の場合において、本体１を落下させた場合、本体１の角部に設けてあるスイッチ部を覆うためのカバー２の回転軸３が破損し、その結果、カバー２の脱落や破損の発生に繋がり易い。また、カバー２を回転軸３を利用しての本体１への取り付けにおいては、回転軸３部からの水などの浸入が発生し易く、防水上適しているとは言えない。
また、例えば実登３０７９８２０号の場合において、相手から電話が掛かって来た場合、ディスプレイ側ボディ２が電動モーター５によって開き切るまでディスプレイ側ボディ２に設けてある受話部に耳を当てることが出来ないためその間は相手の話を聞けない状態にあり、失礼であると共にタイムリーな応答手段とは言えない。
【０００５】携帯電話機にカメラ機能が付加されるなど益々高機能で精密化が進む中で、落下の際に外れ易かったり壊れ易かったりそれに水などの入り易い蝶番部や回転軸などを本体の角部や外部に設けることは故障の大きな要因でもあり、極力避けるべきである。それに、外を持ち歩くための携帯電話機において、複雑な操作部を使用しない場合は最初から中途半端ではなくしっかりした防護構造をとる必要があり、また、タイムリーに応答できる手段をとるべきであるが、従来の技術においては操作本体と表示本体を折りたたみ式や重ね合わせ式とし、表示本体を手で持ち上げて起こしたり或いは表示本体を回転させた上で操作本体を露出するなど、操作本体の防護構造が中途半端であると共に表示本体を完全に起こし切ったり回転し切るまでは表示本体に設けた受話部に耳を当てての電話態勢を取ることが難しく、防護構造とタイムリーな応答手段を考えた場合、決して達成しているものではない。
本発明は、これらの欠点を解決するために発明されたものである。
【課題を解決するための手段】
【０００６】  上記課題を解決するため、本発明を後述の参照符号にて対応させると、第１本体１の右側面の開口部９の内側入り口部にストッパー受け１０を設け、開口部９にボタン軸６ａとバネ７と留め具８からなる引き出し用ボタン６を取り付ける。
また、第１本体１の上部内側面にバネ１１ａ及びバネ１１ｂを設け、バネ１１ａ及びバネ１１ｂに押し板１２を取り付ける。そして、第１本体１の両側面の内側に雄レール１３ａ及び雄レール１３を設け、第１本体１の両側面の下部内側に車軸１５ａに支持された車輪１４ａと車軸１５ｂに支持された車輪１４ｂを設ける。そしてさらに、第１本体１の下部内側面で開口部２６の上部に金属板１６を設ける。次に、第２本体３の頭部１８の下側面に磁石１９を設け、頭部１８の右側面の開口部２５にストッパー軸２０ａとバネ２１と留め具２２からなるストッパー２０を設ける。また、第２本体３の両側面の外側に雌レール１７ａ及び雌レール１７ｂを設け、第２本体３の頭部１８の内部に雌レール１７ａ及び雌レール１７ｂの開口部３７ａ及び開口部３７ｂからはみ出る形で車軸２４ａに支持された車輪２３ａ及び車軸２４ｂに支持された車輪２３ｂを設ける。そして、第２本体３の下側面に蓋５を設ける。
本発明は、以上の構成からなる携帯電話機。
【本発明の実施の形態】
【０００７】  以下、本発明の実施の形態について説明すると、図４は本発明の第１本体１の縦断正面図で第２本体３を抜き取った状態を示しており、表示板２を設けた第１本体１の右側面の開口部９の内側入り口部にストッパー受け１０を設け、開口部９にボタン軸６ａとバネ７と留め具８からなる引き出し用ボタン６のボタン軸６ａとバネ７を開口部９の外側からはめ込み、開口部９の内側から留め具８をボタン軸６ａに取り付けて引き出し用ボタン６を固定する。また、第１本体１の上部内側面にバネ１１ａ及びバネ１１ｂを設け、バネ１１ａ及びバネ１１ｂの反対側に押し板１２を取り付ける。そして、第１本体１の左側面の内側に雄レール１３ａを設け、第１本体１の右側面の内側に雄レール１３ｂを設け、第１本体１の左側面の下部内側に車軸１５ａに支持された車輪１４ａを設け、第１本体１の右側面の下部内側に車軸１５ｂに支持された車輪１４ｂを設ける。そしてさらに、第１本体１の下部内側面で開口部２６の上部に金属板１６を設ける。
【０００８】  図９は本発明の第２本体３の縦断正面図で、ボタンスイッチ群４を設けた第２本体３の頭部１８の下側面に磁石１９を設け、頭部１８の右側面の開口部２５にストッパー軸２０ａとバネ２１と留め具２２からなるストッパー２０のストッパー軸２０ａとバネ２１を開口部２５の外側からはめ込み、開口部２５の内側から留め具２２をストッパー軸２０ａに取り付けてストッパー２０を固定する。また、第２本体３の左側面の外側に雌レール１７ａを設け、第２本体３の右側面の外側に雌レール１７ｂを設け、第２本体３の頭部１８の内部に雌レール１７ａの開口部３６ａよりはみ出る形の車軸２４ａに支持された車輪２３ａを設け、第２本体３の頭部１８の内部に雌レール１７ｂの開口部３６ｂよりはみ出る形の車軸２４ｂに支持された車輪２３ｂを設ける。
【０００９】  本発明は上記のような構造で、作用について説明すると、第１本体１内に収納した第２本体３を第１本体１から引き出す場合は、第１本体１の引き出し用ボタン６を押すことによってボタン軸６ａに取り付けたバネ７の収縮の働きでボタン軸６ａ及び留め具８が開口部９に設けたストッパー受け１０を内側に横断する働きをする。このことによって開口部９のストッパー受け１０に収まっていた第２本体３のストッパー２０がストッパー軸２０ａに取り付けたバネ２１の収縮の働きで引き出し用ボタン６によってストッパー受け１０から押し出され、と同時に第１本体１の上部内側面に取り付けたバネ１１ａ及びバネ１１ｂの拡張の働きで押し板１２が押し出されることで、頭部１８の上面が押し板１２と接する形で第１本体１内に収納されていた第２本体３が第１本体１の開口部２６より押し出される。そして、第１本体１の両側面の下部内側に車軸１５ａに支持された車輪１４ａ及び車軸１５ｂに支持された車輪１４ｂと、第２本体３の頭部１８の内部に雌レール１７ａ及び雌レール１７ｂの開口部３６ａ及び開口部３６ｂからはみ出る形で車軸２４ａ及び車軸２４ｂに支持された車輪２３ａ及び車輪２３ｂは、第２本体３を第１本体１内から所定の位置まで引き出す際においての補助的役割を果たすものであり、第２本体３が第１本体１内から所定の位置まで引き出された段階で第２本体３の頭部１８の下側面に設けた磁石１９が第１本体１の下部内側面で開口部２６の上部に設けた金属板１６に接着し、第２本体３の引き出し状態を安定なものとする。
【００１０】また、第２本体３を第１本体１内に収納する場合は、第２本体３の下側面に設けた蓋５を押す形で第２本体３を第１本体１内に押し込むことによって第２本体３の頭部１８の上面に押された押し板１２がバネ１１ａ及びバネ１１ｂを収縮させ、第２本体３の右側面に設けたストッパー２０が第１本体１の右側面の内側に設けたストッパー受け１０に完全に到達した段階でストッパー２０がストッパー軸２０ａに取り付けたバネ２１の働きで飛び出し、ストッパー受け１０に収まる。このことによって、第２本体３はバネ１１ａ及びバネ１１ｂを取り付けた押し板１２の反発力にも動じず、第１本体１内に収納される。
【００１１】  図１１は本発明の第２実施形態を示す第２本体の３の縦断正面図で、電動にした状態を示しており、また、図１２は本発明の第２実施形態を示す第２本体３を第１本体１内に収納した状態を示す縦断正面図であるが、第１本体１の左側面の内側に歯車用雄レール２７ａを設け、第１本体１の右側面の内側に歯車用雄レール２７ｂを設け、第１本体１の左側面の下部内側に車軸１５ａに支持された車輪１４ａを設け、第１本体１の右側面の下部内側に車軸１５ｂに支持された車輪１４ｂを設ける。そして、第１本体１の上側面の内側に停止スイッチ３７を設け、第１本体１の下側面の内側で開口部２６の上部に停止スイッチ３８を設け、第１本体１の右側面の外側に引き出しボタン３９及び収納ボタン４０を設ける。
【００１２】次に、第２本体３の左側面の外側に雌レール１７ａを設け、第２本体３の右側面の外側に雌レール１７ｂを設け、第２本体３の頭部１８の内部に雌レール１７ａの開口部３６ａよりはみ出る形で歯車状車軸３１に支持された歯車状車輪３０ａを設け、第２本体３の頭部１８の内部に雌レール１７ｂの開口部３６ｂよりはみ出る形で車軸３２に支持された歯車状車輪３０ｂを設け、また、歯車状車輪３０ｂの内側に歯車状車輪３０ｂと噛みあう形で歯車状回転軸３４に支持された歯車３３を設ける。そして、第２本体３の頭部１８の内部の中央付近に歯車状回転軸２９を備えたモーター２８を設け、歯車状車軸３１と歯車状回転軸２９と歯車状回転軸３４にベルト３５を渡す形で掛ける。
【００１３】  本発明の第２実施形態は上記のような構造で、作用について説明すると、第２本体３を第１本体１内から引き出す場合は、第１本体１の右側面の外側に設けた引き出しボタン３９を押すことによって第２本体３の頭部１８の内部に設けたモーター２８が正回転起動し、モーター２８に備えた歯車状回転軸２９が正回転することでベルト３５を渡す形で掛けた歯車状車軸３１及び歯車状回転軸３４が正回転し、このことから歯車状車軸３１が支持する歯車状車輪３０ａ及び歯車状回転軸３４が支持する歯車３３が正回転する。また、歯車３３が正回転によって歯車３３と噛み合わせる形で設けた歯車状車輪３０ｂが歯車状車輪３０ａと逆方向に回転し、このことによって歯車状車輪３０ａは歯車用雄レール２７ａを、歯車状車輪３０ｂは歯車用雄レール２７ｂを開口部２６方向に同一に回転しながら進むことで第２本体３が第１本体１内より引き出される。そして、第２本体３の頭部１８の下側面が第１本体１の下側面の内側で開口部２６の上部に設けた停止スイッチ３８を押した段階で第２本体３の引き出し動態が停止する。
【００１４】また、第２本体８を第１本体１内に収納する場合は、第１本体１の右側面の外側に設けた収納ボタン４０を押すことによって第２本体３の頭部１８の内部に設けたモーター２８が逆回転起動し、モーター２８に備えた歯車状回転軸２９が逆回転することでベルト３５を渡す形で掛けた歯車状車軸３１及び歯車状回転軸３４が逆回転し、このことから歯車状車軸３１が支持する歯車状車輪３０ａ及び歯車状回転軸３４が支持する歯車３３が逆回転する。また、歯車３３の逆回転によって歯車３３と噛み合わせる形で設けた歯車状車輪３０ｂが歯車状車輪３０ａと逆方向に回転し、このことによって歯車状車輪３０ａは歯車用雄レール２７ａを、歯車状車輪３０ｂは歯車用雄レール２７ｂをそれぞれ第１本体１の上側面方向に同一に回転しながら進むことで第２本体３が第１本体１内に引き込まれる。そして、第２本体３の頭部１８の上側面が第１本体１の上側面の内側に設けた停止スイッチ３７を押した段階で第２本体３の収納動態が停止する。
【発明の効果】
【００１５】  以上説明したように、本発明の携帯電話機は、テンキーなどのボタンスイッチ群を設けた第２本体を不使用の際においては液晶などの表示板を設けた第１本体内に完全に収納でき、しかも第１本体と第２本体とのヒンジ部分が角部や外部に存在しないため防塵性や防水性は勿論のこと、落下時などに外れたり壊れたりし易い箇所を解消した。また、テンキーなどのボタンスイッチ群を設けた第２本体を使用する際においては第２本体を持ち上げたり回したりなどの回転動ではなく引くという直線動のため、最短時間且つ最短距離でボタンスイッチ群を設けた第２本体の露出と収納が実現でき、タイムリーな電話手段が図れる。
【図面の簡単な説明】
【図１】本発明の第２本体を第１本体内に収納した状態を示す斜視図である。
【図２】本発明の第２本体を第１本体内から引き出した状態を示す斜視図である。
【図３】本発明の第１本体に引き出し用ボタンを取り付けた状態を示す断面図である。
【図４】本発明の第１本体の縦断正面図である。
【図５】本発明の第１本体の縦断右側面図である。
【図６】本発明の第２本体の右側面図である。
【図７】本発明の第２本体にストッパーを取り付けた状態を示す断面図である。
【図８】本発明の第２本体の底面図で、蓋を外した状態を示している。
【図９】本発明の第２本体の縦断正面図である。
【図１０】本発明の第２本体を第１本体内に収納した状態を示す縦断正面図である。
【図１１】本発明の第２実施形態を示す第２本体の縦断正面図である。
【図１２】本発明の第２実施形態を示す第２本体を第１本体内に収納した状態を示す縦断正面図である。
【符号の説明】
１  第１本体
２  表示板
３  第２本体
４  ボタンスイッチ群
５  蓋
６  引き出し用ボタン
６ａ  ボタン軸
７，１１ａ，１１ｂ，２１  バネ
８，２２  留め具
９，２５，２６，３６ａ，３６ｂ  開口部
１０  ストッパー受け
１２  押し板
１３ａ，１３ｂ  雄レール
１４ａ，１４ｂ，２３ａ，２３ｂ  車輪
１５ａ，１５ｂ，２４ａ，２４ｂ，３２  車軸
１６  金属板
１７ａ，１７ｂ  雌レール
１８  頭部
１９  磁石
２０  ストッパー
２７ａ，２７ｂ  歯車用レール
２８  モーター
２９，３４  歯車状回転軸
３０ａ，３０ｂ  歯車状車輪
３１  歯車状車軸
３３  歯車
３５  ベルト
３７，３８  停止スイッチ
３９  引き出しボタン
４０  収納ボタン
【図１】
2005065205.tif 000003
【図２】
2005065205.tif 000004
【図３】
2005065205.tif 000005
【図４】
2005065205.tif 000006
【図５】
2005065205.tif 000007
【図６】
2005065205.tif 000008
【図７】
2005065205.tif 000009
【図８】
2005065205.tif 000010
【図９】
2005065205.tif 000011
【図１０】
2005065205.tif 000012
【図１１】
2005065205.tif 000013
【図１２】
2005065205.tif 000014